(57)【要約】【課題】被照射物の背後に在る壁面に被照射物の影を投影する照明装置において、その影の付き方を工夫し、被照射物の周囲空間の演出性を高める。【解決手段】照明装置１は被照射物Ｐ１に照明光を照射する光源を備え、光源は複数個が互いに空間座標の異なる位置に配置され、各光源による被照射物Ｐ１の影Ｓ１、Ｓ１’が重畳するように形成されている。また、各光源による照明光の色温度又は強さには差が設けられている。これにより、被照射物Ｐ１の影Ｓ１、Ｓ１’は重畳し、しかも、互いに対してコントラストが強くなるので、全体として立体感のあるものとなる。従って、被照射物Ｐ１の周囲空間に奥行きを感じさせる効果が生まれ、このため、空間の演出性が高まる。【選択図】図７
2011009059.tif 000002
【特許請求の範囲】
【請求項１】
被照射物に照明光を照射する光源を備え、前記光源により被照射物の背後に在る壁面に被照射物の影を投影する照明装置において、
前記光源は、複数個が互いに空間座標の異なる位置に配置され、各光源による被照射物の影が重畳するように形成され、各光源による照明光の色温度又は強さには差が設けられていることを特徴とする照明装置。
【請求項２】
前記光源による光照射方向を可変とする回転機構を備えたことを特徴とする請求項１に記載の照明装置。
【請求項３】
前記複数個の光源はスティック状部材に直線上に配置されていることを特徴とする請求項１又は請求項２に記載の照明装置。
【発明の詳細な説明】
【技術分野】
【０００１】
本発明は、被照射物を演出照明する照明装置に関する。
【背景技術】
【０００２】
この種の照明装置において、植栽を被照射物とする照明装置を図８に示す。この照明装置１００は、筐体１０１内に光源１０２と反射板１０３とが収容され、筐体１０１の照明口は防水・防塵用の透明板１０４により塞がれている。筐体１０１は、支持部材１０５に支持され、照明口が斜め上方を向いている。
【０００３】
壁面Ｗ１の前に植栽で成る被照射物Ｐ１がある。照明装置１００は被照射物Ｐ１の前方に設置され、被照射物Ｐ１を下方から演出照明し、いわゆる、ライトアップを行う。その結果、被照射物Ｐ１よりも大きなその影Ｓ１が壁面Ｗ１に投影される。しかしながら、影Ｓ１は単調なものとなる。そのため、影Ｓ１の付き方を工夫し、被照射物Ｐ１周囲空間の演出性を高めることが要請されていた。
【０００４】
上記照明装置１００の被照射物Ｐ１は植栽であるが、その他の被照射物を演出照明する照明装置として、ダブルスキン構造を有する建物外壁の中空部に配置され、壁面全体をライトアップする照明装置が知られている（例えば、特許文献１参照）。また、建物の周縁の複数箇所に設置され、演出時にはそれぞれが照明光を拡散させる照明装置が知られている（例えば、特許文献２参照）。しかしながら、これらの照明装置によって上述の要請にこたえることは難しい。
【先行技術文献】
【特許文献】
【０００５】
【特許文献１】特開平６−２０３５１０号公報
【特許文献２】特開２００３１６８９０６号公報
【発明の概要】
【発明が解決しようとする課題】
【０００６】
本発明は、上記の問題を解決するためになされたものであり、被照射物の背後に在る壁面に被照射物の影を投影する照明装置において、その影の付き方を工夫し、被照射物の周囲空間の演出性を高めることができる照明装置を提供することを目的とする。
【課題を解決するための手段】
【０００７】
上記目的を達成するために請求項１の発明は、被照射物に照明光を照射する光源を備え、前記光源により被照射物の背後に在る壁面に被照射物の影を投影する照明装置において、前記光源は、複数個が互いに空間座標の異なる位置に配置され、各光源による被照射物の影が重畳するように形成され、各光源による照明光の色温度又は強さには差が設けられているものである。
【０００８】
請求項２の発明は、請求項１に記載の照明装置において、前記光源による光照射方向を可変とする回転機構を備えたものである。
【０００９】
請求項３の発明は、請求項１又は請求項２に記載の照明装置において、前記複数個の光源はスティック状部材に直線上に配置されているものである。
【発明の効果】
【００１０】
請求項１の発明によれば、各光源による被照射物の影は重畳し、しかも、各光源による照明光には色温度又は強さに差が有り、それら照明光による影は互いに対してコントラストが強くなるので、全体として立体感のあるものとなり、従って、被照射物の周囲空間に奥行きを感じさせる効果が生まれ、このため、空間の演出性が高まる。
【００１１】
請求項２の発明によれば、光照射方向を変えることにより被照射物の影の位置、大きさ、形状等を調整することができるので、周囲空間演出の自由度が高まる。
【００１２】
請求項３の発明によれば、被照射物が植栽である場合、形状を被照射物に似せることができるので、被照射物の周囲空間に違和感なく溶け込んで存在が目立たなくなり、周囲空間の美観を損なわずに済む。
【図面の簡単な説明】
【００１３】
【図１】本発明の一実施形態に係る照明装置の斜視図。
【図２】（ａ）は上記照明装置の装置の側面図、（ｂ）は被照射物の影を示す斜視図。
【図３】上記照明装置の拡大側面図。
【図４】上記照明装置における光源ユニットの軸周りの回転の様子を示す斜視図。
【図５】上記照明装置における上部柱体の仰角方向の回転の様子を示す斜視図。
【図６】上記照明装置の上部柱体を略水平とした状態における被照射物の影を示す斜視図。
【図７】上記照明装置の使用例を示す斜視図。
【図８】（ａ）は従来の照明装置の斜視図、（ｂ）はその断面図、（ｃ）はその使用例を示す斜視図。
【発明を実施するための形態】
【００１４】
以下、本発明の一実施形態に係る照明装置について図面を参照して説明する。図１は、本実施形態の照明装置の構成を示す。この照明装置１は、植栽を被照射物としてその前方に配置され、被照射物に照明光を照射し、被照射物の背後に在る壁面に被照射物の影を投影するものである。照明装置１は、照明光を出射する２個の光源２と、それらが前面に配置される垂設されたスティック状の筐体３（スティック状部材）とを備える。光源２は、略鉛直線上に互いに空間座標の異なる位置に離間して配置されている。光源２は上記の配置及び個数に限定されず、その数は３個以上であってもよい。
【００１５】
光源２は、筐体３に収容された光源体（図示せず）と、この光源体からの光を透過する防水・防塵用の透明部材２１とにより構成される。上記の光源体は例えばＬＥＤランプ又は蛍光ランプ等の各種ランプにより構成される。光源体の指向性は同じであっても、又は異なっていてもよい。
【００１６】
各光源２による照明光の色温度又は強さには差が設けられている。これらの差は、光源２を定格色温度又は定格光出力が互い異なる光源体で構成することにより、又は各光源体への供給電流又は印加電圧を調整することにより生じさせる。
【００１７】
筐体３は、略円柱のスティック状、すなわち、細棒状であり、光源２の点灯回路等を収容している。筐体３の形状は円柱に限定されず、多角柱であってもよい。筐体３は、互いに連結された上部柱体３１と下部柱体３２とにより構成され、その連結部位には、下部柱体３２が上部柱体３１を仰角方向に回転自在に支持する回転機構３３が設けられている。
【００１８】
上部柱体３１の前面は凹み形成され、略平面とされており、そこに２個の光源２が配設されている。上部柱体３１は、光源ユニット３４とその支持ユニット３５とにより構成されている。光源ユニット３４に光源２が配設されており、支持ユニット３５による光源ユニット３４の支持部位には、光源ユニット３４をその軸周りに回転自在に支持する回転機構３６が設けられている。回転機構３３、３６は光源２による光照射方向を調整可能とする。
【００１９】
図２（ａ）は光源２の配置位置を示し、図２（ｂ）は光源２による被照射物の影を示す。図においては被照射物Ｐ１を円盤で示す。光源２は、各光源２により照明される被照射物Ｐ１の影Ｓ１、Ｓ１’の一部が互いに重畳するように形成されている。影Ｓ１、Ｓ１’がこのような位置となるように、各光源２の水平位置及び鉛直位置は、壁面Ｗ１と被照射物Ｐ１との水平距離、及び被照射物Ｐ１と光源２との水平距離に応じて設定されている。これら水平距離は厳密である必要はなく、使用時の大まかな想定距離でよい。同図において上部柱体３１は略垂直な状態であり、影Ｓ１、Ｓ１’は略鉛直方向にずれて一部が重なっている。
【００２０】
図３は回転機構３６の構成を示し、図４は回転機構３６による光源ユニット３４の回転の様子を示す。回転機構３６は、光源ユニット３４の下端部の径が小さくされて成る回転軸部３４ａと、回転軸部３４ａと嵌合され、回転軸部３４ａを回転自在に支持する、支持ユニット３５の上端部に形成された軸受部３５ａとにより構成されている。回転軸部３４ａの外周には溝部３４ｂが形成され、軸受部３５ａの内周には溝部３４ｂと係合する鍔部３５ｂが形成されており、溝部３４ｂは溝部３４ｂを摺動自在に支持する。溝部３４ｂ及び鍔部３５ｂは回転軸部３４ａの抜けを防止する。回転軸部３４ａは支持ユニット３５に、また軸受部３５ａは光源ユニット３４に設けられていてもよい。図４に示すように、光源ユニット３４は回転軸部３４ａ（同図では図示せず）の軸周りに回転し、これに伴って、光源２による光照射方向（矢印で示す）は上述の軸周りに変わる。光源ユニット３４はユーザが手で回すことより回転する。
【００２１】
図５は回転機構３３の構成と、回転機構３３による上部柱体３１の回転の様子とを示す。回転機構３３は、支持ユニット３５の下端と下部柱体３２の上端とにそれぞれ形成され、互いに対面する半円柱状の突出片３５ｃ、３２ａと、これらの軸孔に挿嵌される横軸３７とにより構成されている。突出片３５ｃは横軸３７に回転自在に支持されている。横軸３７は光源ユニット３４の前面と平行とされており、この前面が横軸３７の軸周りに回転し、これにより、その前面に在る照明口３１が仰角方向に向きを変え、光源２による光照射方向（矢印で示す）が仰角方向に変わる。光源ユニット３４のこの回転はユーザが光源ユニット３４を手で倒し、又は起こすことにより成される。横軸３７は下部柱体３２の突出片３２ａと一体形成されていてもよい。
【００２２】
突出片３５ｃの下端は丸みを帯びた凸形状であり、この下端に対向する下部柱体３２の上端面は丸みを帯びた凹形状であり、突出片３５ｃ回転時にその動きを妨げない形状とされている（図３を参照）。突出片３２ａの上端とこれに対向する上部柱体３１の下端面も同等の形状を有する。横軸３７とそれが挿嵌される軸孔は、上部柱体３１に任意の姿勢を維持させる摩擦力を生み出すように、径が調整されている。
【００２３】
図６は、回転機構３３により上部柱体３１を倒して略水平とした状態における被照射物Ｐ１の影Ｓ１、Ｓ１’を示す。図においては被照射物Ｐ１を円盤で示す。この状態においては２個の光源２（同図では図示せず）は略水平に並ぶ。そのため、各光源２による影Ｓ１、Ｓ１’は略水平方向にずれて一部が重なる。
【００２４】
本実施形態の照明装置１においては、図７に示すように被照射物Ｐ１の影Ｓ１、Ｓ１’は重畳し、しかも、各光源２による照明光には色温度又は強さに差が有り、影Ｓ１、Ｓ１’は互いに対してコントラストが強くなるので、全体として立体感のあるものとなる。従って、被照射物Ｐ１の周囲空間に奥行きを感じさせる効果が生まれ、このため、空間の演出性が高まる。また、照明装置の光源を１個として照明装置を複数台、設置する場合と比べ、装置の設置作業が簡単となる。
【００２５】
また、回転機構３３、３６により光照射方向を変えることにより被照射物Ｐ１の影Ｓ１、Ｓ１’の位置、大きさ、形状等を調整することができるので、周囲空間演出の自由度が高まる。
【００２６】
また、筐体３はスティック状であり、光源２はその筐体３に直線上に配置されているので、装置形状が被照射物Ｐ１と似たものとなり、そのため、被照射物Ｐ１の周囲空間に違和感なく溶け込んで存在が目立たなくなり、従って、周囲空間の美観を損なわずに済む。
【００２７】
なお、本発明は、上記実施形態の構成に限定されるものでなく、使用目的に応じ、様々な変形が可能である。例えば、光源２は筐体３に収容されるのではなく、スティック状の棒体等に取り付けられていてもよい。
【符号の説明】
【００２８】
１  照明装置
２  光源
３  筐体（スティック状部材）
３３、３６  回転機構
Ｐ１  被照射物
Ｗ１  壁面
Ｓ１、Ｓ１’  影
【図１】
2011009059.tif 000003
【図２】
2011009059.tif 000004
【図３】
2011009059.tif 000005
【図４】
2011009059.tif 000006
【図５】
2011009059.tif 000007
【図６】
2011009059.tif 000008
【図７】
2011009059.tif 000009
【図８】
2011009059.tif 000010